(57)【要約】【課題】  混合米を選別するための揺動選別板の組み付け取り外しが容易でその作業性が向上し、且つ、装置枠体の剛性を確保することができる籾摺装置の揺動選別板固定構造を得る。【解決手段】  籾摺装置の揺動選別板７４は、枠体１１のガイドレール７５によって抜き差し自在に保持されており、後端壁７４Ｂの左右方向（幅方向）両端部に設けられた一対の嵌合部７４Ｃが枠体１１の左右の側壁１１Ａの外側面に嵌合する。これにより、揺動選別板７４が枠体１１に固定されると共に枠体１１の後端部が補強される。また、枠体１１の後端部に設けられた選別板カバー７７は、所謂パッチン止め７９によって枠体１１に係止されている。このため、パッチン止め７９を手動操作して選別板カバー７７を取り外せば、揺動選別板７４を極めて容易に組み付け及び取り外しすることができ、大幅に作業性が向上する。【選択図】  図３
2005040732.tif 000002
【特許請求の範囲】
【請求項１】
供給された籾を脱ぷ処理して玄米として取り出す籾摺装置に適用され、装置枠体の一端面を構成する着脱自在なカバー部材に一端部を被覆されると共に前記カバー部材を取り外すことで前記枠体の前記一端側から抜き差し可能とされ、前記枠体と共に揺動することによって脱ぷ処理後の混合米から玄米を選別する揺動選別板を前記枠体に固定するための籾摺装置の揺動選別板固定構造であって、
前記揺動選別板の前記一端部に設けられ、前記揺動選別板が前記枠体に差し込まれた状態で前記枠体の前記一端部と嵌合して前記揺動選別板を前記枠体に固定すると共に前記枠体の前記一端部を補強する嵌合部と、
前記カバー部材を前記枠体の前記一端部に係止すると共に手動操作により前記係止を解除可能な係止手段と、
を備えたことを特徴とする籾摺装置の揺動選別板固定構造。
【請求項２】
前記嵌合部は、前記枠体の前記一端部における外側面に嵌合する、ことを特徴とする請求項１記載の籾摺装置の揺動選別板固定構造。
【請求項３】
前記カバー部材は、前記嵌合部に外側から嵌合する側壁を有する、ことを特徴とする請求項２記載の籾摺装置の揺動選別板固定構造。
【発明の詳細な説明】
【技術分野】
【０００１】
本発明は、供給された籾を脱ぷ処理して玄米として取り出す籾摺装置の揺動選別板固定構造に関する。
【背景技術】
【０００２】
供給された籾を脱ぷ処理して玄米を取り出す籾摺装置が知られている（例えば、特許文献１参照）。
【０００３】
この特許文献１に開示されている籾摺装置では、供給された籾を脱ぷ処理する籾摺部と、この籾摺部において脱ぷ処理された後の籾摺米（玄米及び脱ぷ処理されなかった籾）から玄米を選別して取り出す選別部と、を有している。
【０００４】
籾摺部には、一対の籾摺ロール（ゴムロール）が対向して配置されており、互いに若干異なる回転数で回転する。これら一対の籾摺ロールの間を籾が通過することで、籾が擦られて脱ぷ処理される（所謂籾摺りがなされる）ようになっている。一方、選別部には枠体が三次元的に傾斜して設けられており、この枠体の内部には複数枚の揺動選別板が保持されている。この揺動選別板の表面には、断面略三角状の無数の突起が形成されており、選別処理時には、揺動選別板が枠体とともに左右に揺動（振動）するようになっている。そして、籾摺部において脱ぷ処理された後の籾摺米（玄米及び脱ぷされなかった籾）は、選別部において揺動選別板上に供給され、揺動選別板の左右の揺動（振動）によって、玄米と、籾と、これらが混在する混合米とに選別されるようになっている。さらに、前記籾摺米から選別された玄米は装置外へ取り出され、脱ぷされなかった籾は再び籾摺部へ返送され、両者が混在する混合米は再び揺動選別板上に供給される構成となっている。
【０００５】
ところで、この特許文献１に開示されている籾摺装置においては、上述した複数枚の揺動選別板は、それぞれの後端部が枠体の後端面を構成する着脱自在な選別板カバーによって被覆されており、それぞれの幅方向端縁部が枠体の前後方向に沿って設けられたガイドレールに挟持されて抜き差し自在に保持されている。このため、選別板カバーを取り外すことで、各揺動選別板を枠体から引き抜いて取り外すことができる。そして、これら枠体、各揺動選別板および選別板カバーは、多数のビスによって一体に固定されるようになっており、これにより、枠体の剛性が確保され、選別処理時に枠体が左右に揺動している状態においても、枠体が捩れることを防止するようになっている。
【０００６】
一方、各揺動選別板には糠などが付着するため、定期的に取り外して清掃する必要がある。しかしながら、上述した如き各揺動選別板および選別板カバーを多数のビスによって枠体に固定する構成の場合には、各揺動選別板を取り外すために、工具を用いて多数のビスを取り外す必要があり、揺動選別板の組み付け取り外し作業が煩雑になるという問題があった。
【特許文献１】特許第３３３７６４３号公報
【発明の開示】
【発明が解決しようとする課題】
【０００７】
本発明は、上記事実を考慮し、混合米を選別するための揺動選別板の組み付け取り外しが容易でその作業性が向上し、且つ、装置枠体の剛性を確保することができる籾摺装置の揺動選別板固定構造を得ることを目的とする。
【課題を解決するための手段】
【０００８】
上記課題を解決するために、請求項１記載の発明に係る籾摺装置の揺動選別板固定構造は、供給された籾を脱ぷ処理して玄米として取り出す籾摺装置に適用され、装置枠体の一端面を構成する着脱自在なカバー部材に一端部を被覆されると共に前記カバー部材を取り外すことで前記枠体の前記一端側から抜き差し可能とされ、前記枠体と共に揺動することによって脱ぷ処理後の混合米から玄米を選別する揺動選別板を前記枠体に固定するための籾摺装置の揺動選別板固定構造であって、前記揺動選別板の前記一端部に設けられ、前記揺動選別板が前記枠体に差し込まれた状態で前記枠体の前記一端部と嵌合して前記揺動選別板を前記枠体に固定すると共に前記枠体の前記一端部を補強する嵌合部と、前記カバー部材を前記枠体の前記一端部に係止すると共に手動操作により前記係止を解除可能な係止手段と、を備えたことを特徴としている。
【０００９】
請求項１記載の籾摺装置の揺動選別板固定構造では、揺動選別板は、供給された籾を脱ぷ処理して玄米として取り出す籾摺装置に適用され、装置枠体の一端面を構成する着脱自在なカバー部材に一端部を被覆されると共に、カバー部材を取り外すことで枠体の一端側から抜き差し可能とされている。そして、この揺動選別板は、枠体と共に揺動することによって脱ぷ処理後の混合米から玄米を選別する。
【００１０】
ここで、揺動選別板を枠体から取り外す際には、係止手段を手動操作すれば、カバー部材の係止を解除でき、カバー部材を枠体の一端部から取り外すことができる。そして、揺動選別板を枠体から引き抜くことで、揺動選別板を枠体から取り外すことができる。
【００１１】
一方、揺動選別板を枠体に組み付ける際には、揺動選別板を枠体に差し込めば、嵌合部が枠体の一端部と嵌合して揺動選別板が枠体に固定され、さらに、この嵌合部によって枠体の一端部が補強される。そして、カバー部材を枠体の一端部に取り付け、係止手段を手動操作すれば、カバー部材を枠体の一端部に係止することができる。
【００１２】
したがって、本籾摺装置の揺動選別板固定構造では、従来の如く揺動選別板及びカバー部材を多数のビス等の締結具を用いて枠体に固定していた場合に比べて、揺動選別板の組み付け取り外しが容易になり、その作業性が向上する。しかも、揺動選別板の嵌合部が枠体の一端部に嵌合することによって枠体の一端部が補強されるため、枠体の剛性を確保することができる。
【００１３】
請求項２記載の籾摺装置の揺動選別板固定構造では、請求項１記載の籾摺装置の揺動選別板固定構造において、前記嵌合部は、前記枠体の前記一端部における外側面に嵌合する、ことを特徴としている。
【００１４】
請求項２記載の籾摺装置の揺動選別板固定構造では、揺動選別板の嵌合部は、枠体の一端部における外側面に嵌合するため、揺動選別板の一端部と嵌合部との間に枠体の一端部を挟持して固定することができる。また、揺動選別板が枠体に正確に固定されたか否かを目視にて容易に確認することができる。さらに、揺動選別板の一端部と嵌合部との接続部分などを、枠体の一端部における端縁などに当接させる構成とすれば、この当接部分がストッパーとして機能するため、揺動選別板を枠体に正確に位置決めして固定することができる。
【００１５】
請求項３記載の籾摺装置の揺動選別板固定構造では、請求項２記載の籾摺装置の揺動選別板固定構造において、前記カバー部材は、前記嵌合部に外側から嵌合する側壁を有する、ことを特徴としている。
【００１６】
請求項３記載の籾摺装置の揺動選別板固定構造では、枠体の一端部における外側面に嵌合した嵌合部のさらに外側に、カバー部材の側壁が嵌合する。したがって、枠体の一端部は、揺動選別板の嵌合部による補強のみならず、このカバー部材の側壁によっても補強されるため、枠体の剛性を一層高めることができる。
【発明の効果】
【００１７】
以上説明したように、本発明の籾摺装置の揺動選別板固定構造によれば、混合米を選別するための揺動選別板の組み付け取り外しが容易で作業性が向上し、且つ、装置枠体の剛性を確保することができる
【発明を実施するための最良の形態】
【００１８】
図１には、本発明の実施の形態に係る籾摺装置１０の全体構成が断面図にて示されており、図２にはこの籾摺装置１０の全体構成が平面図にて示されている。
【００１９】
籾摺装置１０は、供給された籾Mを脱ぷ処理して玄米Ｇとして取り出すためのものであり、全体として衝撃脱ぷ機１０Ａと揺動選別機１０Ｂとによって構成されている。
【００２０】
衝撃脱ぷ機１０Ａは、機体１３を備えている。機体１３の装置前面側（図１の紙面手前側）には、上面に開口する籾供給ホッパ１２が設けられており、籾Ｍが投入されるようになっている。この籾供給ホッパ１２は、開口部が矩形で底部に至るに従い徐々に狭くなるテーパ形状となっている。籾供給ホッパ１２の最底部には、矩形状の供給口１４が設けられ、籾Ｍはこの供給口１４から順次衝撃脱ぷ機１０Ａの内部へと流入する。
【００２１】
また、籾供給ホッパ１２の供給口１４は、衝撃脱ぷ機１０Ａを構成する外周ケース１６の中心部に連結されている。この外周ケース１６内には、複数の回転翼１８（一種のブロア）が放射状に設けられており、高速で回転する。前記供給口１４から外周ケース１６内の中心部に流入した籾Ｍは、この回転翼１８によって遠心力を付与され放射状に放出されるようになっている。外周ケース１６の内周にはライニング板２０が設けられている。このため、回転翼１８によって遠心力を付与され放射状に放出された籾Ｍは、ライニング板２０に衝突しその際の衝撃力によって脱ぷ処理（所謂、籾摺り）される構成となっている。なお、以下は、ライニング板２０に衝突し脱ぷ処理された籾Ｍを籾摺米Ｓという。この籾摺米Ｓは、脱ぷされた多量の玄米Ｇと、脱ぷしきれなかった少量の籾Ｍと、籾殻Ｎとが混在している。
【００２２】
外周ケース１６からは上方へむけて案内筒２２が立設されており、その先端部は風選室３０に連結されている。このため、籾摺米Ｓは案内筒２２を経て風選室３０へ案内される。
【００２３】
風選室３０には、複数の網板２４及び隔壁２６によって風選路３４、３６が設けられている。これにより、風選室３０へ案内された籾摺米Ｓは、その中に混入した籾殻Ｎ、及び粃Ｔ（未熟粒であり、殻ばかりで実の殆どない籾）が衝撃脱ぷ機１０Ａの回転翼と同軸上に併設された籾殻排出ブロア（風選室３０内の下方にあり、図示されていない）の吸引力によって吸い取られるようになっている。吸い取られた籾殻Ｎは籾殻排出ブロアの籾殻排出樋４２を介して外部に排出される構成である。
【００２４】
また、粃Ｔは、籾殻Ｎよりも重いため、一方の風選路３４からは吸い取られず（上りきらず）、他方の風選路３６において若干吸い上げられると、この吸い上げに耐えられずに落下して、装置外へ排出される構成である。
【００２５】
以上の構成の風選室３０の側方には、一番粒樋４８が設けられている。この一番粒樋４８は、風選室３０の網板３７部分に連通しており、風選室３０を通過し籾殻Ｎ及び粃Ｔが除去された籾摺米Ｓが案内されるようになっている。なお、以下は、風選室３０を通過し籾殻Ｎ及び粃Ｔが除去された籾摺米Ｓを混合米Ｋという。すなわち、この混合米Ｋには、多量の玄米Ｇと少量の籾Ｍとが混在している。
【００２６】
一番粒樋４８の下方（衝撃脱ぷ機１０Ａの側方）には揺動選別機１０Ｂが配置されており、一番粒樋４８を通過した混合米Ｋは揺動選別機１０Ｂへと案内されるようになっている。
【００２７】
揺動選別機１０Ｂは、機体１５を備えている。機体１５の装置後方側（図１の紙面奥側）には、裏カバー１７が着脱自在に設けられており、この裏カバー１７によって揺動選別機１０Ｂの装置後方側が被覆されている。また、機体１５の内部には枠体１１が設けられており、この枠体１１の一側（図１の紙面左側）には、分配樋７２が配置されている。この分配樋７２は、枠体１１内にそれぞれ所定の隙間をおいて積層配置された複数枚（本実施の形態では、４枚）の揺動選別板７４にそれぞれ連通しており、一番粒樋４８からの混合米Ｋを各揺動選別板７４にそれぞれ均等に分配供給することができるようになっている。
【００２８】
ここで、各揺動選別板７４は、枠体１１に設けられたガイドレール７５によって保持されている。枠体１１は、図１において、右側が高く左側が低く傾斜し、かつ、紙面奥側が高く手前側が低く傾斜するように調整されており、三次元的に傾斜している。このため、各揺動選別板７４も、図１において、右側が高く左側が低く傾斜し、かつ、紙面奥側が高く手前側が低く傾斜した状態で枠体１１に保持されている。
【００２９】
また、図３に示す如く、ガイドレール７５は枠体１１の装置前後方向に沿ってそれぞれ設けられており、揺動選別板７４の本体部７４Ａの幅方向両端縁を挟持してこれを保持している。この場合、枠体１１の装置後面側は開放されており、このため、揺動選別板７４は枠体１１の装置後面側からガイドレール７５に沿って抜き差しすることができる構成となっている。
【００３０】
なお、揺動選別板７４の本体部７４Ａの表面全体には、右側面が起立し左側面が緩傾斜した断面略三角形状の無数の突起７６がエンボス加工によって形成されている。また、本体部７４Ａの下面には、均平板８１が垂下して取り付けられている。この均平板８１は、揺動選別板７４上に供給された混合米Ｋの層厚を平らにならす役目と、揺動選別板７４を補強する役目を有している。
【００３１】
さらに、各揺動選別板７４の本体部７４Ａの後端には、後端壁７４Ｂが設けられている。この後端壁７４Ｂの左右方向両端部は、それぞれ装置前方側へ略直角に延設されて一対の嵌合部７４Ｃが形成されている。
【００３２】
図４に示す如く、一対の嵌合部７４Ｃの対向する内面の間隔Ｌ１は、枠体１１の左右の側壁１１Ａにおける各外側面の間隔Ｌ２と略同じ寸法に設定されている。このため、各揺動選別板７４が枠体１１に差し込まれた状態では、一対の嵌合部７４Ｃが枠体１１の左右の側壁１１Ａの各外側面に嵌合するようになっている。換言すれば、揺動選別板７４の一対の嵌合部７４Ｃと本体部７４Ａの後端部における左右方向両端縁との間に、枠体１１の左右の側壁１１Ａが挟持された状態となる。これにより、各揺動選別板７４が枠体１１に固定されると共に、この一対の嵌合部７４Ｃによって枠体１１の後端部が補強される構成である。
【００３３】
なお、各揺動選別板７４が枠体１１に差し込まれて固定された状態では、揺動選別板７４の後端壁７４Ｂの左右方向端部（後端壁７４Ｂと嵌合部７４Ｃとの接続部分）が、枠体１１の左右の側壁１１Ａにおける各後端縁に当接することで、揺動選別板７４が枠体１１に正確に位置決めされるようになっている。
【００３４】
一方、枠体１１の後端部には、カバー部材としての選別板カバー７７が着脱自在に設けられている。この選別板カバー７７は、底壁７７Ａと、左右の側壁７７Ｂ及び上下の側壁７７Ｃとを有して底浅な皿状に形成されている。この選別板カバー７７は、図４に示す如く、左右の側壁７７Ｂの対向する内面の間隔Ｌ３が、揺動選別板７４の一対の嵌合部７４Ｃにおける各外側面の間隔Ｌ４と略同じ寸法に設定されている。このため、選別板カバー７７が枠体１１の後端部に取り付けられた状態（図５図示状態）では、揺動選別板７４の一対の嵌合部７４Ｃの外側に、選別板カバー７７の左右の側壁７７Ｂが嵌合するようになっている。これにより、一対の嵌合部７４Ｃによって補強された枠体１１の後端部が、選別板カバー７７の左右の側壁７７Ｂによって、さらに補強される構成である。
【００３５】
なお、図示はしないが、選別板カバー７７の上下の側壁７７Ｃにおける対向する内面の間隔は、枠体１１の上壁１１Ｂ及び下壁１１Ｃにおける各外側面の間隔と略同じ寸法に設定されている。このため、選別板カバー７７が枠体１１の後端部に取り付けられた状態では、選別板カバー７７の上下の側壁７７Ｃは、枠体１１の上壁１１Ｂ及び下壁１１Ｃと嵌合するようになっており、この選別板カバー７７の上下の側壁７７Ｃによっても枠体１１の後端部が補強される構成である。
【００３６】
さらに、この選別板カバー７７は、係止手段としての所謂パッチン止め７９によって枠体１１の後端部に固定される構成である。選別板カバー７７の上下の側壁７７Ｃには、パッチン止め７９の把持部７９Ａがそれぞれ所定数（本実施の形態では、選別板カバー７７の上側の側壁７７Ｃに２個、下側の側壁７７Ｃに２個の合計４個）、回転可能に取り付けられており、この把持部７９Ａに対応して、枠体１１の上壁１１Ｂ及び下壁１１Ｃには、それぞれ所定数（本実施の形態では、枠体１１の上壁１１Ｂに２個、下壁１１Ｃに２個の合計４個）のフック７９Ｂが固定されている。把持部７９Ａには、フック７９Ｂに係合する略コ字形の係止部７９Ｃが回転可能に支持されており、この係止部７９Ｃをフック７９Ｂに係合させた状態で、把持部７９Ａをフック７９Ｂとは反対側へ回転操作することによって、選別板カバー７７を枠体１１に係止できる構成である（図５図示状態）。
【００３７】
以上の構成の４枚の揺動選別板７４が組み付けられた揺動選別機１０Ｂ（枠体１１）は、図示を省略したメインモータの駆動力が伝達されて作動し、回転駆動力がクランク機構（カム機構）によって往復駆動力に変換されて図１の左右方向に揺動（振動）するようになっている。揺動選別板７４上に供給された混合米Ｋは、この揺動選別板７４の左右の揺動（振動）によって、玄米Ｇと、籾Ｍ（脱ぷ処理されなかったもの）と、これらが混在する混合米Ｋとに選別される構成である。
【００３８】
すなわち、比重が大きい玄米Ｇは、混合米層の下方に沈んで前記突起７６により押し出されるようにして揺動選別板７４の右側へと順次移行し、比重が小さい籾Ｍは、混合米層の上方に浮いて層の表面上を滑り落ちるようにして揺動選別板７４の左側へと順次移行することになる。この移行度合いの差によって、揺動選別板７４上において、図１の右側の領域に玄米Ｇ、中央の領域に混合米Ｋ、左側の領域に籾Ｍが集中し、もって選別（分離）されるようになっている。この現象は、揺動選別板７４の奥側（供給側）から手前側に自然に流下しつつ徐々にはっきりと現れてくる。しかして、揺動選別板７４上の玄米Ｇと籾Ｍ（以下、混合米等という）は、各段の揺動選別板７４の手前側から下方に落下するようになっている。
【００３９】
また、揺動選別板７４の落下側端部（図１の紙面手前側端部）には、固定仕切板７８と、移動仕切板８０とが配設されている。
【００４０】
固定仕切板７８は、前述の如く揺動選別板７４によって選別（分離）された籾Ｍと混合米Ｋとの境界付近に位置しており、この固定仕切板７８よりも図１の左側には籾Ｍが落下し、固定仕切板７８よりも図１の右側には混合米Ｋが落下するようになっている。一方、移動仕切板８０は、前述の如く揺動選別板７４によって選別（分離）された混合米Ｋと玄米Ｇとの境界付近に位置しており、この移動仕切板８０よりも図１の左側には混合米Ｋが落下し、移動仕切板８０よりも図１の右側には玄米Ｇが落下するようになっている。
【００４１】
また、これらの固定仕切板７８及び移動仕切板８０の下方には、揺動排出樋８２が設けられており、さらに、この揺動排出樋８２には、籾戻し口８４、混合米排出口８６及び玄米排出口８８が設けられている。このため、固定仕切板７８によって選別（分離）された籾Ｍは、籾戻し口８４へ案内され、また、固定仕切板７８と移動仕切板８０によって選別（分離）された混合米Ｋは、混合米排出口８６へ案内され、移動仕切板８０によって選別（分離）された玄米Ｇは、玄米排出口８８へ案内される構成である。
【００４２】
籾戻し口８４の側近には籾戻し樋９０が設けられており、籾戻し口８４へ案内された籾Ｍは籾戻し樋９０へ落下するようになっている。また、この籾戻し樋９０は、前述した衝撃脱ぷ機１０Ａの籾供給ホッパ１２の供給口１４に連通されている。したがって、籾戻し口８４から籾戻し樋９０へ落下した籾Ｍは、衝撃脱ぷ機１０Ａの回転翼１８の吸引力によって吸い取られて、再び衝撃脱ぷ機１０Ａに直接返送されることになる。すなわち、籾戻し口８４から落下するのは、揺動選別機１０Ｂによって選別され再度籾摺りが必要な籾Ｍであり、このため揺動選別機１０Ｂから衝撃脱ぷ機１０Ａに籾Ｍが送り込まれるようになっている。
【００４３】
一方、混合米排出口８６は、混合米戻しスロワ５２に連結されている。混合米戻しスロワ５２は、前述した衝撃脱ぷ機１０Ａの風選室３０の網板３７部分に連通している。すなわち、混合米排出口８６から落下する混合米Ｋは、再度選別が必要なものであり、このため揺動選別機１０Ｂの分配樋７２へ混合米Ｋが送り込まれるようになっている。これにより、前記混合米排出口８６から排出された混合米Ｋは、再び揺動選別機１０Ｂでの選別が実行されることになる。
【００４４】
また一方、玄米排出口８８には、玄米排出シャッター１０６が設けられている。玄米排出シャッター１０６は、玄米排出モータ（図示省略）の駆動力によって開閉する。本実施の形態に係る籾摺装置１０では、装置の運転開始直後から所定時間（すなわち、準備時間）は、揺動選別機１０Ｂによる選別が完全に行なわれず、揺動選別板７４の図１の右端においても混合米Ｋが存在することがある。このため、前記準備時間内は、玄米排出口８８を玄米排出シャッター１０６によって閉じておき、全て混合米排出口８６へ案内するようにしている。準備時間が経過した後には、自動的に玄米排出シャッター１０６が開放され、玄米Ｇは玄米排出口８８から排出される構成である。
【００４５】
この玄米排出口８８は、玄米排出スロワ１０８に連結されている。このため、玄米排出口８８から排出された玄米Ｇは、玄米排出スロワ１０８によって撥ね出されて、玄米取出樋１１０から外部に取り出されるようになっている。
【００４６】
次に、本実施の形態の作用を説明する。
【００４７】
上記構成の籾摺装置１０では、衝撃脱ぷ機１０Ａの籾供給ホッパ１２に籾Ｍが投入され装置の運転が開始されると、籾Ｍは順次衝撃脱ぷ機１０Ａの外周ケース１６内の中心部に流入し、回転翼１８によって遠心力を付与され放射状に放出される。放出された籾Ｍは、ライニング板２０に衝突しその際の衝撃力によって脱ぷ処理（所謂、籾摺り）がなされる。脱ぷ処理された籾摺米Ｓは、順次風選室３０へ流入し、この中に混入した籾殻Ｎ及び粃Ｔ等が衝撃脱ぷ機１０Ａの回転翼１８と同軸上に併設された籾殻排出ブロアの吸引力によって吸い取られる。この籾殻Ｎは籾殻排出ブロアの籾殻排出樋４２を介して外部に排出され、また粃Ｔも装置外へ排出される。
【００４８】
一方、風選室３０を通過し籾殻Ｎ及び粃Ｔ等が除去された混合米Ｋは、一番粒樋４８を介して揺動選別機１０Ｂへと案内される。
【００４９】
揺動選別機１０Ｂでは、混合米Ｋが、分配樋７２から各揺動選別板７４にそれぞれ均等に分配供給される。各揺動選別板７４上に供給された混合米Ｋは、この揺動選別板７４の左右の揺動（振動）によって、玄米Ｇと、籾Ｍと、これらが混在する混合米Ｋとに選別される。
【００５０】
さらに、固定仕切板７８によって選別（分離）された籾Ｍは、籾戻し口８４へ案内され、この籾戻し口８４から籾戻し樋９０を介して再び衝撃脱ぷ機１０Ａに直接返送される。また、固定仕切板７８と移動仕切板８０によって選別（分離）された混合米Ｋは、混合米排出口８６から排出され、混合米戻しスロワ５２によって衝撃脱ぷ機１０Ａの風選室３０の網板３７部分に返送される。この結果、この混合米Ｋは、再度揺動選別機１０Ｂの分配樋７２へと送られ、再び揺動選別機１０Ｂでの選別が実施される。
【００５１】
一方、移動仕切板８０によって選別（分離）された玄米Ｇは、玄米排出口８８から排出され、玄米排出スロワ１０８によって撥ね出されて玄米取出樋１１０から外部に取り出される。
【００５２】
ここで、本籾摺装置１０においては、揺動選別機１０Ｂの各揺動選別板７４を点検や掃除等のために枠体１１から取り外す際には、選別板カバー７７のパッチン止め７９の把持部７９Ａを枠体１１のフック７９Ｂ側へ回転操作して、係止部７９Ｃとフック７９Ｂとの係合を外すことで、選別板カバー７７と枠体１１の係止を解除でき、選別板カバー７７を枠体１１の後端部から取り外すことができる。そして、揺動選別板７４を枠体１１のガイドレール７５に沿って引き抜くことで、揺動選別板７４を枠体１１から取り外すことができる。
【００５３】
一方、揺動選別板７４を枠体１１に組み付ける際には、揺動選別板７４の本体部７４Ａの幅方向両端縁を枠体１１のガイドレール７５に挿入して、揺動選別板７４を枠体１１内に押し込むことで、揺動選別板７４の後端壁７４Ｂの左右方向端部が枠体１１の左右の側壁１１Ａにおける各後端縁に当接し、揺動選別板７４の一対の嵌合部７４Ｃが枠体１１の左右の側壁１１Ａと嵌合する。これにより、揺動選別板７４が正確に位置決めされて枠体１１に固定される。そして、選別板カバー７７を枠体１１の後端部に取り付け、パッチン止め７９の係止部７９Ｃを枠体１１のフック７９Ｂに係合させ、把持部７９Ａをフック７９Ｂとは反対側へ回転操作することで、選別板カバー７７を枠体１１に係止することができる。
【００５４】
したがって、本籾摺装置１０においては、従来の如く揺動選別板７４及び選別板カバー７７を、多数のビス等の締結具を用いて枠体１１に固定していた場合に比べて、揺動選別板７４の組み付け取り外し作業を容易かつ迅速に行なうことができる。
【００５５】
しかも、揺動選別板７４の一対の嵌合部７４Ｃが枠体１１の左右の側壁１１Ａに嵌合することで枠体１１の後端部が補強され、さらに、この揺動選別板７４の嵌合部７４Ｃの外側に、選別板カバー７７の左右の側壁７７Ｂが嵌合することで、この左右の側壁７７Ｂによっても、枠体１１の後端部が補強される。またさらに、枠体１１の上壁１１Ｂ及び下壁１１Ｃに、選別板カバー７７の上下の側壁７７Ｃが嵌合することで、この上下の側壁７７Ｃによっても、枠体１１の後端部が補強される。これにより、枠体１１の剛性が充分に確保され、枠体１１（揺動選別機１０Ｂ）が左右に揺動（振動）している状態においても、枠体１１が捩れることが防止される。
【００５６】
このように、本実施の形態に係る籾摺装置１０の揺動選別板７４の固定構造では、揺動選別板７４の組み付け取り外しが容易でその作業性が向上し、且つ、枠体１１の剛性を確保することができる。
【００５７】
なお、上記実施の形態においては、籾摺装置１０を衝撃脱ぷ式として説明したが、これに限らず、本籾摺装置の揺動選別板固定構造は、一対の籾摺ロールによる摩擦式の籾摺装置の揺動選別機にも適用することもできる。
【００５８】
また、上記実施の形態においては、揺動選別板７４の嵌合部７４Ｃが、枠体１１の左右の側壁１１Ａにおける各外側面と嵌合する構成としたが、これに限らず、揺動選別板７４の嵌合部の形状を適宜設定変更して、この嵌合部を枠体１１の左右の側壁１１Ａにおける各内側面と嵌合させる構成としてもよい。
【図面の簡単な説明】
【００５９】
【図１】本実施の形態に係る籾摺装置の全体構成を示す断面図である。
【図２】本実施の形態に係る籾摺装置の全体構成を示す平面図である。
【図３】本実施の形態に係る籾摺装置の揺動選別板及び周辺部品の構成を示す斜視図である。
【図４】本実施の形態に係る籾摺装置の揺動選別板及び周辺部品の構成を示す平面図である。
【図５】本実施の形態に係る籾摺装置の揺動選別板及び周辺部品の構成を示す斜視図である。
【符号の説明】
【００６０】
１０      籾摺装置
１０Ａ    衝撃脱ぷ部
１０Ｂ    揺動選別部
１１      枠体（装置枠体）
１１Ａ    左右の側壁
１１Ｂ    上壁
１１Ｃ    底壁
７４      揺動選別板
７４Ａ    本体部
７４Ｂ    後端壁
７４Ｃ    嵌合部
７７      選別板カバー（カバー部材）
７７Ａ    底壁
７７Ｂ    左右の側壁（側壁）
７７Ｃ    上下の側壁
７９      係止手段
７９Ａ    把持部
７９Ｂ    フック
７９Ｃ    係止部
Ｍ        籾
Ｓ        籾摺米
Ｋ        混合米
Ｇ        玄米
Ｎ        籾殻
Ｔ        粃
【図１】
2005040732.tif 000003
【図２】
2005040732.tif 000004
【図３】
2005040732.tif 000005
【図４】
2005040732.tif 000006
【図５】
2005040732.tif 000007